(57)【要約】      （修正有）【課題】補強部材を増やすことなく強度を高めることができるパイプハウスを提供する。【解決手段】水平方向に沿う一方向に関して間隔をおいて配列されて骨組みを構成する複数のアーチパイプ２を備える。アーチパイプ２は、可撓性を有している。アーチパイプ２を、その両端部が自然状態と比べて互いに近接した変形状態で地面に対して固定する。アーチパイプ２は、凸状に折り曲げられた湾曲部２２および湾曲部２２から直線状に延びた第１直線部２３ａが一体となった第１パイプ２１ａと、第１直線部２３ａの端部と接続される直線状の第２直線部２３ｂを含む第２パイプ２１ｂと、を含んでいる。【選択図】図５
0003227529.tif 000002
【実用新案登録請求の範囲】
【請求項１】
水平方向に沿う一方向に関して間隔をおいて配列されて骨組みを構成する複数のアーチパイプを備えたパイプハウスであって、
前記アーチパイプは、可撓性を有しており、その両端部が自然状態と比べて互いに近接した変形状態で地面に対して固定されることを特徴とするパイプハウス。
【請求項２】
前記アーチパイプは、
凸状に折り曲げられた湾曲部および前記湾曲部から直線状に延びた第１直線部が一体となった第１パイプと、
前記第１直線部の端部と接続される直線状の第２直線部を含む第２パイプと、を含んでいることを特徴とする請求項１に記載のパイプハウス。
【請求項３】
前記アーチパイプは、前記第１直線部の内部と前記第２直線部の内部とにわたって配置される第３パイプをさらに備えており、
前記第１直線部と前記第２直線部とは、前記第３パイプにそれぞれ溶接されていることを特徴とする請求項２に記載のパイプハウス。
【考案の詳細な説明】
【技術分野】
【０００１】
本考案は、骨組みを構成する複数のアーチパイプを備えたパイプハウスに関する。
【背景技術】
【０００２】
一般に、複数のアーチパイプを水平方向に沿う一方向に関して間隔をおいて配列して構成された骨組みを、ビニールシートなどの被覆部材で覆うことで形成されるパイプハウスが知られている。かかるパイプハウスは、横風、積雪、地震などにより外力が加わった際に骨組みが変形するのを避けるために、強度を高めることが求められている。
【０００３】
特許文献１には、パイプハウスの強度を高めるために、アーチパイプの内側にアーチ状の補強パイプを組み立て、連結金具により補強パイプをアーチパイプと連結する構造が開示されている。
【先行技術文献】
【特許文献】
【０００４】
【特許文献１】特開２００７−３００８２６号公報
【考案の概要】
【考案が解決しようとする課題】
【０００５】
パイプハウスは、上述の補強パイプのような補強部材を設けるほど強度が増す。しなしながら、補強部材が増えるほど、組み立て工程が複雑化し、また重量が増大するという問題が生じる。
【０００６】
本考案の目的は、補強部材を増やすことなく強度を高めることができるパイプハウスを提供することである。
【課題を解決するための手段】
【０００７】
本考案のパイプハウスは、水平方向に沿う一方向に関して間隔をおいて配列されて骨組みを構成する複数のアーチパイプを備えたパイプハウスであって、前記アーチパイプは、可撓性を有しており、その両端部が自然状態と比べて互いに近接した変形状態で地面に対して固定される。
【０００８】
この構成によると、変形状態のアーチパイプには、弾性力（反発力）が加わる。これにより、アーチパイプの外力に対する耐久性が高くなる。したがって、補強部材を増やすことなくパイプハウスの強度を高めることができる。なお、本考案は、補強部材を増やさずに強度を高める構成を提案するものであって、補強部材との併用を排除するものでも、補強部材を使用しない構成を排除するものでもない。
【０００９】
さらに、上述のパイプハウスにおいて、前記アーチパイプは、凸状に折り曲げられた湾曲部および前記湾曲部から直線状に延びた第１直線部が一体となった第１パイプと、前記第１直線部の端部と接続される直線状の第２直線部を含む第２パイプと、を含んでいる。
【００１０】
この構成によると、アーチパイプの湾曲部分に継手を用いる場合に比べて、アーチパイプを変形状態とした際に弾性力（反発力）が加わりやすい。したがって、パイプハウスの強度を十分に高めることができる。
【００１１】
加えて、上述のパイプハウスにおいて、前記アーチパイプは、前記第１直線部の内部と前記第２直線部の内部とにわたって配置される第３パイプをさらに備えており、前記第１直線部と前記第２直線部とは、前記第３パイプにそれぞれ溶接されている。
【００１２】
この構成によると、第１パイプの第１直線部および第２パイプの第２直線部の内部に第３パイプが配置されることで、第１パイプ、第２パイプが単体である場合に比べて、アーチパイプの強度が高くなる。
【考案の効果】
【００１３】
本考案によれば、補強部材を増やすことなく強度を高めることができるパイプハウスを得ることができる。
【図面の簡単な説明】
【００１４】
【図１】本考案の一実施形態にかかるパイプハウスの斜視図である。
【図２】図１に示すアーチパイプを構成する曲げパイプを示す図である。
【図３】自然状態のアーチパイプを示す図である。
【図４】曲げパイプ同士の接続部分を示す拡大図である。
【図５】変形状態のアーチパイプを示す図である。
【図６】パイプハウスの作製工程の一例を示すフローチャートである。
【考案を実施するための形態】
【００１５】
以下、本考案の好適な一実施の形態について、図面を参照しつつ説明する。
【００１６】
本実施形態にかかるパイプハウス１の骨組み１０は、図１に示すように、複数のアーチパイプ２および複数の横架パイプ３により主に構成される。複数のアーチパイプ２は、水平方向に沿う一方向に関して間隔を置いて配列されている。以下の説明において、複数のアーチパイプ２の配列方向を「第１方向」と称する。また、水平方向に沿い、かつ、第１方向と直交する方向を「第２方向」と称する。
【００１７】
アーチパイプ２は、アーチ状のパイプであり、上方に向かって凸となるような姿勢で骨組み１０を構成する。また、アーチパイプ２は、その両端部が第２方向に沿って並んだ状態で地面に対して固定される。なお、アーチパイプ２は、地面に直接固定してもよいし、土台などを介して地面に対して固定してもよい。
【００１８】
横架パイプ３は、直線状のパイプであり、その長手方向が第１方向に沿う姿勢で骨組み１０を構成する。横架パイプ３は、図示しない連結部材により各アーチパイプ２と連結されている。複数のアーチパイプ２は、横架パイプ３により互いに連結されている。
【００１９】
図１においては図示を省略しているが、パイプハウス１は、骨組み１０を被覆部材で覆うことで形成される。被覆部材としては、透明または半透明のビニールシート、合成樹脂シート、帆布、木板、トタン板、ポリカーボネイト板などを採用することができる。
【００２０】
次に、図２〜図５をさらに参照しつつ、アーチパイプ２の構造について説明する。アーチパイプ２は、図２に示すような曲げパイプ２１を３つ繋ぎ合わせて構成されている。曲げパイプ２１は、鋼製で直径４８．６ｍｍの単管パイプに曲げ加工を施すことによって形成される。
【００２１】
図２に示すように、曲げパイプ２１は、凸状に折り曲げられた湾曲部２２および湾曲部２２の両端から直線状にそれぞれ延びた２つの直線部２３が一体に形成されている。２つの直線部２３がなす角θは、鈍角である。曲げパイプ２１は、図２において一点鎖線で示す上下方向に延び、かつ、湾曲部２２の中心を通る仮想直線ＶＬ１に関して左右対称である。
【００２２】
アーチパイプ２は、図３に示すように、１つの曲げパイプ２１の両端にそれぞれ曲げパイプ２１を接続し、合計３つの曲げパイプ２１により構成されている。アーチパイプ２は、可撓性を有している。
【００２３】
以降の説明において、アーチパイプ２を構成する３つの曲げパイプ２１のうち、中央に位置する曲げパイプ２１を曲げパイプ２１ａとし、曲げパイプ２１ａの両側に位置する２つの曲げパイプ２１を曲げパイプ２１ｂとする。なお、曲げパイプ２１ａと２つの曲げパイプ２１ｂとは、角度θの大きさや直線部２３の長さが異なっている。また、曲げパイプ２１ａの直線部２３を直線部２３ａとし、曲げパイプ２１ｂの直線部２３を直線部２３ｂとする。
【００２４】
なお、曲げパイプ２１ａが本考案の第１パイプに相当し、曲げパイプ２１ｂが本考案の第２パイプに相当する。また、曲げパイプ２１ａの直線部２３ａが本考案の第１直線部に相当し、曲げパイプ２１ｂの直線部２３ｂが本考案の第２直線部に相当する。
【００２５】
ここで、図３を参照しつつ、曲げパイプ２１ａと曲げパイプ２１ａの右側の曲げパイプ２１ｂとの関係について説明する。曲げパイプ２１ａの右側の直線部２３ａの端部と、曲げパイプ２１ｂの左側の直線部２３ｂの端部とが、接続されている。互いに接続されている直線部２３ａと直線部２３ｂとは、その延在方向が同じとなっている。すなわち、互いに接続されている直線部２３ａと直線部２３ｂとは、いずれも図３において一点鎖線で示す仮想直線ＶＬ２上に位置している。また、互いに接続されていない直線部２３ａと直線部２３ｂ、すなわち、曲げパイプ２１ａの左側の直線部２３ａと曲げパイプ２１ｂの右側の直線部２３ｂとは、いずれも仮想直線ＶＬ２に対して同じ側に位置している。
【００２６】
アーチパイプ２は、図３において一点鎖線で示す上下方向に延び、かつ、曲げパイプ２１ａの湾曲部２２の中心を通る仮想直線ＶＬ３に関して左右対称である。したがって、曲げパイプ２１ａと曲げパイプ２１ａの左側の曲げパイプ２１ｂとの関係については、説明を省略する。このように３つの曲げパイプ２１を繋ぎ合わせることで、アーチ状のアーチパイプ２が構成される。曲げパイプ２１ａの湾曲部２２が、アーチパイプ２のアーチの頂部２ａとなる。
【００２７】
図４に示すように、曲げパイプ２１ａと曲げパイプ２１ｂとの接続部分には、接続パイプ２４が配置されている。接続パイプ２４は、曲げパイプ２１ａの直線部２３ａの内部と曲げパイプ２１ｂの直線部２３ｂの内部とにわたって配置されている。接続パイプ２４は、鋼製の直径４２．７ｍｍの管状部材である。接続パイプ２４の長さＬ１は、２５０ｍｍである。
【００２８】
曲げパイプ２１ａの直線部２３ａの端と、曲げパイプ２１ｂの直線部２３ｂの端とを当接させた状態で、曲げパイプ２１ａ、２１ｂの外側から溶接することで、曲げパイプ２１ａ、２１ｂの直線部２３ａ、２３ｂと接続パイプ２４とが溶接されている。より詳細には、直線部２３ａ、２３ｂにおける接続パイプ２４が挿入されている部分において、合計８か所で溶接が行わる。そのうち４つの溶接か所は、図４の一点鎖線に示すように、紙面手前側から見て、直線部２３ａ、２３ｂの延在方向に沿って並んでいる。かかる４つの溶接か所は、曲げパイプ２１ａに２つ、曲げパイプ２１ｂに２つ設けられている。図４の紙面奥側にも同様に４つの溶接か所が設けられている。
【００２９】
図３に示すように、アーチパイプ２は、外力が加わっていない自然状態では、両端部が外側に広がった状態である。自然状態では、２つの曲げパイプ２１ｂにおける曲げパイプ２１ａと接続されていない側の直線部２３ｂは、互いに平行でなく、湾曲部２２とは反対側の端部が湾曲部２２側の端部よりも外側に位置している。
【００３０】
図５に示すように、アーチパイプ２の両端部は、地面に打ち込まれた基礎杭である固定パイプ７に差し込まれる。固定パイプ７は、鋼製で直径４２、７ｍｍの管状部材である。固定パイプ７は、溶接によりアーチパイプ２に取り付けられている。
【００３１】
アーチパイプ２は、その両端部が自然状態（図３に示す状態）と比べて互いに近接した変形状態で地面に固定される。図５に示すように、変形状態においては、２つの曲げパイプ２１ｂにおける曲げパイプ２１ａと接続されていない側の直線部２３ｂは、互いに略平行となっている。
【００３２】
なお、このとき、アーチパイプ２における曲げパイプ２１ａの湾曲部２２と曲げパイプ２１ｂの湾曲部２２との間（すなわち、互いに接続されている直線部２３ａおよび直線部２３ｂ）が、アーチの外側に膨らむように若干湾曲する。アーチパイプ２は、変形状態となることで、湾曲し、弾性力（反発力）が加わる。
【００３３】
変形状態のアーチパイプ２は、曲げパイプ２１ｂにおける曲げパイプ２１ａと接続されていない側の直線部２３ｂの延在方向が、上下方向となる姿勢で地面に固定される。
【００３４】
次に、図６を参照しつつ、パイプハウス１の作製工程の一例について説明する。まず、工場などの作業場において、単管パイプに曲げ加工を施して曲げパイプ２１を作製する（ステップＳ１）。そして、ステップＳ１で作成した複数の曲げパイプ２１に加え、横架パイプ３などのパイプハウス１の作製に必要な資材をパイプハウス１を組み立てる現場に搬入する（ステップＳ２）。
【００３５】
続いて、３つの曲げパイプ２１を溶接により繋ぎ合わせてアーチパイプ２を作製する（ステップＳ３）。なお、ステップＳ１、Ｓ３までの工程を作業場で行い、その後資材を現場に搬入してもよい。
【００３６】
必要に応じて丁張りや基礎杭打ちなどを済ませた後、ステップＳ３で作製したアーチパイプ２や横架パイプ３などにより骨組み１０を作製する（ステップＳ４）。具体的には、まずアーチパイプ２を立ち上げて基礎杭の固定パイプ７に差し込む。このとき、自然状態のアーチパイプ２に対して、その両端部を互いに引き寄せる方向の外力を加えて変形状態とする。そして、アーチパイプ２と固定パイプ７との接続部分を溶接する。その後、複数のアーチパイプ２を横架パイプ３により連結する。最後に、ステップＳ４で作製した骨組み１０に被覆部材を取り付ける（ステップＳ５）。
【００３７】
以上のように、本実施形態のパイプハウス１は、水平方向に沿う一方向に関して間隔をおいて配列されて骨組み１０を構成する複数のアーチパイプ２を備えている。アーチパイプ２は、可撓性を有しており、その両端部が自然状態と比べて互いに近接した変形状態で地面に対して固定される。この構成によると、変形状態のアーチパイプ２には、弾性力（反発力）が加わる。これにより、アーチパイプ２の外力に対する耐久性が高くなる。したがって、補強部材を増やすことなくパイプハウス１の強度を高めることができる。
【００３８】
本実施形態のパイプハウス１では、アーチパイプ２は、凸状に折り曲げられた湾曲部２２および湾曲部２２の両端から直線状にそれぞれ延びた２つの直線部２３が一体に形成された３つの曲げパイプ２１を含んでいる。３つの曲げパイプ２１のうち、中央に位置する曲げパイプ２１ａの直線部２３ａの端部に、曲げパイプ２１ａの側方に位置する曲げパイプ２１ｂの直線部２３ｂが接続される。この構成によると、アーチパイプ２の湾曲部分に継手を用いる場合に比べて、アーチパイプ２を変形状態とした際に弾性力（反発力）が加わりやすい。したがって、パイプハウス１の強度を十分に高めることができる。
【００３９】
本実施形態のパイプハウス１は、直線部２３ａの内部と直線部２３ｂの内部とにわたって配置される接続パイプ２４をさらに備えており、直線部２３ａと直線部２３ｂとは、接続パイプ２４にそれぞれ溶接される。この構成によると、曲げパイプ２１ａの直線部２３ａおよび曲げパイプ２１ｂの直線部２３ｂの内部に接続パイプ２４が配置されることで、曲げパイプ２１ａ、２１ｂが単体である場合に比べて、アーチパイプ２の強度が高くなる。
【００４０】
以上、本考案の実施形態について図面に基づいて説明したが、具体的な構成は、これらの実施形態に限定されるものでないと考えられるべきである。本考案の範囲は、上記した実施形態の説明ではなく特許請求の範囲によって示され、さらに特許請求の範囲と均等の意味および範囲内でのすべての変更が含まれる。
【００４１】
上述の実施形態では、アーチパイプ２が、凸状に折り曲げられた湾曲部２２および湾曲部２２の両端から直線状にそれぞれ延びた２つの直線部２３が一体に形成された曲げパイプ２１を３つ繋ぎ合わせて作製されている場合について説明したが、これには限定されない。例えば、中央の曲げパイプ２１ａの両端に、直線状のパイプがそれぞれ接続されてもよい。また、中央の曲げパイプ２１ａの替わりに、湾曲部分に継手を用いて直線状のパイプを継手で繋ぎ合わせたものを用いてもよい。
【００４２】
上述の実施形態では、曲げパイプ２１ａの直線部２３ａと曲げパイプ２１ｂの直線部２３ｂとが、それらの内部に配置された接続パイプ２４にそれぞれ溶接されることで互いに接続されている場合について説明したが、これには限定されない。直線部２３ａと直線部２３ｂとは、ネジなどの固定部材により接続されてもよい。
【００４３】
本考案のパイプハウス１には、例えば、特開２００７−３００８２６号公報に開示されている補強パイプなどの各種の補強部材が設けられていてもよい。
【符号の説明】
【００４４】
１  パイプハウス
２  アーチパイプ
２１ａ  曲げパイプ（第１パイプ）
２１ｂ  曲げパイプ（第２パイプ）
２２  湾曲部
２３ａ  直線部（第１直線部）
２３ｂ  直線部（第２直線部）
２４  接続パイプ（第３パイプ）
【図１】
0003227529.tif 000003
【図２】
0003227529.tif 000004
【図３】
0003227529.tif 000005
【図４】
0003227529.tif 000006
【図５】
0003227529.tif 000007
【図６】
0003227529.tif 000008